(57)【要約】【課題】鋳片の中心偏析を適正に評価できるようにする。【解決手段】鋳片の中心偏析評価装置１００において、特徴量抽出部１０２は、対象鋳片の切断面の画像データに基づいて、個々の偏析粒の輪郭を検出した上で、個々の偏析粒の厚みを求め、偏析粒の厚みと偏析粒の個数との度数分布を第１の特徴量として抽出し、また、個々の偏析粒の面積を求め、偏析粒の面積と偏析粒の個数との度数分布を第２の特徴量として抽出する。評価部１０４は、評価モデル保持部１０３が保持する評価モデルを用いて、特徴量抽出部１０２で抽出した、対象鋳片の切断面における第１の特徴量及び第２の特徴量に基づいて、対象鋳片の評点を求める。評価モデルは、機械学習による評価モデルであり、一の切断面における第１の特徴量及び第２の特徴量を説明変数とし、評点を目的変数とする。【選択図】図１
2020169850.tif 000002
【特許請求の範囲】
【請求項１】
連続鋳造された鋳片の鋳造方向に垂直な方向の切断面の画像データに基づいて、中心偏析を評価する鋳片の中心偏析評価装置であって、
前記画像データに基づいて、個々の偏析粒の厚みと偏析粒の個数との度数分布を特徴量として抽出する特徴量抽出手段と、
前記特徴量抽出手段で抽出した前記特徴量に基づいて、中心偏析を評価する評価手段とを備えたことを特徴とする鋳片の中心偏析評価装置。
【請求項２】
前記特徴量抽出手段は、偏析粒の向きを判定した上で偏析粒を囲む長方形を設定し、前記長方形の短辺の長さを、当該長方形で囲まれた偏析粒の厚みとすることを特徴とする請求項１に記載の鋳片の中心偏析評価装置。
【請求項３】
前記特徴量抽出手段は、個々の偏析粒の面積と偏析粒の個数との度数分布を前記特徴量として更に抽出することを特徴とする請求項１又は２に記載の鋳片の中心偏析評価装置。
【請求項４】
前記評価手段は、一の切断面における前記特徴量を説明変数とし、評点を目的変数とする機械学習による評価モデルを用いて、対象鋳片の切断面の前記特徴量に基づいて、評点を求めることを特徴とする請求項１乃至３のいずれか１項に記載の鋳片の中心偏析評価装置。
【請求項５】
請求項４に記載の鋳片の中心偏析評価装置で用いる前記評価モデルの学習を、前記特徴量と評点との組み合わせの実績値に基づいて行う学習手段を備えたことを特徴とする評価モデルの学習装置。
【請求項６】
連続鋳造された鋳片の鋳造方向に垂直な方向の切断面の画像データに基づいて、中心偏析を評価する鋳片の中心偏析評価方法であって、
前記画像データに基づいて、個々の偏析粒の厚みと偏析粒の個数との度数分布を特徴量として抽出するステップと、
前記抽出した前記特徴量に基づいて、中心偏析を評価するステップとを有することを特徴とする鋳片の中心偏析評価方法。
【請求項７】
連続鋳造された鋳片の鋳造方向に垂直な方向の切断面のエッチプリント画像データに基づいて、中心偏析を評価するためのプログラムであって、
前記画像データに基づいて、個々の偏析粒の厚みと偏析粒の個数との度数分布を特徴量として抽出する特徴量抽出手段と、
前記特徴量抽出手段で抽出した前記特徴量に基づいて、中心偏析を評価する評価手段としてコンピュータを機能させるためのプログラム。
【発明の詳細な説明】
【技術分野】
【０００１】
本発明は、鋳片の中心偏析評価装置、方法及びプログラム、並びに評価モデルの学習装置に関する。
【背景技術】
【０００２】
連続鋳造されたスラブ等の鋳片において、その成分及び組織の均一性を阻害するものの一つに厚さ方向中心部の中心偏析がある。したがって、鋳片の内質を評価するために、鋳片の中心偏析を検出し、その度合いを評価することが行われている。
特許文献１には、偏析エッチプリント法により鋼材の断面組織を転写したものを画像処理し、面積率及び／又は平均偏析粒径を演算し求め、この値とあらかじめ鋼種ごとに設定しておいた面積率及び／又は粒径とを比較し、偏析を推定する鋼材の偏析検出方法が開示されている。
また、特許文献２には、鋼材の断面のエッチプリント画像の２値化処理及びラベリング処理により抽出される偏析領域の特徴量を求め、特徴量があらかじめ設定した閾値以下あるいは以上の領域を、偏析を検出する検出対象から除外する鋼材の中心偏析評価方法が開示されている。
【先行技術文献】
【特許文献】
【０００３】
【特許文献１】特開平０１−１６７６３６号公報
【発明の概要】
【発明が解決しようとする課題】
【０００４】
鋳片の内質には、個々の偏析粒の面積よりも、個々の偏析粒の厚みが与える影響が大きい。偏析粒の面積が大きくても、厚みが小さい場合は、圧延時に偏析が十分に押しつぶされ、疵等の内質に影響を及ぼすことは少ない。一方、偏析粒の厚みが大きいと、圧延後の鋼板にも偏析粒が残ってしまい、疵等の内質に影響を及ぼしてしまう。しかしながら、特許文献１や特許文献２では、偏析粒の厚みに基づいて、中心偏析を評価することは行っていない。
【０００５】
本発明は上記のような点に鑑みてなされたものであり、鋳片の中心偏析を適正に評価できるようにすることを目的とする。
【課題を解決するための手段】
【０００６】
上記の課題を解決するための本発明の要旨は、以下のとおりである。
［１］  連続鋳造された鋳片の鋳造方向に垂直な方向の切断面の画像データに基づいて、中心偏析を評価する鋳片の中心偏析評価装置であって、
前記画像データに基づいて、個々の偏析粒の厚みと偏析粒の個数との度数分布を特徴量として抽出する特徴量抽出手段と、
前記特徴量抽出手段で抽出した前記特徴量に基づいて、中心偏析を評価する評価手段とを備えたことを特徴とする鋳片の中心偏析評価装置。
［２］  前記特徴量抽出手段は、偏析粒の向きを判定した上で偏析粒を囲む長方形を設定し、前記長方形の短辺の長さを、当該長方形で囲まれた偏析粒の厚みとすることを特徴とする［１］に記載の鋳片の中心偏析評価装置。
［３］  前記特徴量抽出手段は、個々の偏析粒の面積と偏析粒の個数との度数分布を前記特徴量として更に抽出することを特徴とする［１］又は［２］に記載の鋳片の中心偏析評価装置。
［４］  前記評価手段は、一の切断面における前記特徴量を説明変数とし、評点を目的変数とする機械学習による評価モデルを用いて、対象鋳片の切断面の前記特徴量に基づいて、評点を求めることを特徴とする［１］乃至［３］のいずれか一つに記載の鋳片の中心偏析評価装置。
［５］  ［３］に記載の鋳片の中心偏析評価装置で用いる前記評価モデルの学習を、前記特徴量と評点との組み合わせの実績値に基づいて行う学習手段を備えたことを特徴とする評価モデルの学習装置。
［６］  連続鋳造された鋳片の鋳造方向に垂直な方向の切断面の画像データに基づいて、中心偏析を評価する鋳片の中心偏析評価方法であって、
前記画像データに基づいて、個々の偏析粒の厚みと偏析粒の個数との度数分布を特徴量として抽出するステップと、
前記抽出した前記特徴量に基づいて、中心偏析を評価するステップとを有することを特徴とする鋳片の中心偏析評価方法。
［７］  連続鋳造された鋳片の鋳造方向に垂直な方向の切断面のエッチプリント画像データに基づいて、中心偏析を評価するためのプログラムであって、
前記画像データに基づいて、個々の偏析粒の厚みと偏析粒の個数との度数分布を特徴量として抽出する特徴量抽出手段と、
前記特徴量抽出手段で抽出した前記特徴量に基づいて、中心偏析を評価する評価手段としてコンピュータを機能させるためのプログラム。
【発明の効果】
【０００７】
本発明によれば、鋳片の中心偏析を適正に評価することができる。
【図面の簡単な説明】
【０００８】
【図１】実施形態に係る鋳片の中心偏析評価装置の機能構成を示す図である。
【図２】対象鋳片の切断面の画像を模式的に示す図である。
【図３】偏析粒の特徴量を抽出する処理を説明するための図である。
【図４】ある鋳片の切断面における第１の特徴量及び第２の特徴量に対して評点が与えられている状態を示す図である。
【図５】実施形態に係る評価モデルの学習装置の機能構成を示す図である。
【発明を実施するための形態】
【０００９】
以下、添付図面を参照して、本発明の好適な実施形態について説明する。
図１に、実施形態に係る鋳片の中心偏析評価装置１００の機能構成を示す。鋳片の中心偏析評価装置１００は、連続鋳造されたスラブ等の鋳片の鋳造方向に垂直な方向の切断面（以下、対象鋳片の切断面という）の画像データに基づいて、中心偏析を評価する。
【００１０】
入力部１０１は、対象鋳片の切断面の画像データを入力する。対象鋳片の切断面の画像データは、例えばエッチプリント法により対象鋳片の切断面の組織を転写したエッチプリントを、スキャニングすることにより画像データ化したものである。図２に、対象鋳片の切断面の画像２０１を模式的に示す。図２に示すように、鋳片の厚さ方向中心部に中心偏析が発生している。
【００１１】
対象鋳片の切断面の画像データを生成するにあたり、中心偏析の発生領域だけをトリミングしたり、鮮明化のための２値化を行ったり等の画像処理を施すが、画像処理は公知の手法を利用すればよく、ここではその説明を省略する。事前にこれらの処理が施された画像データを入力部１０１を介して入力するようにしてもよいし、これらの処理前の画像データを入力部１０１を介して入力して、本装置１００が処理を施すようにしてもよい。
なお、対象鋳片の切断面の画像データはどのような手法で取得してもよく、例えば対象鋳片の切断面をカメラ等により直接撮影した画像データを取得するような形態としてもよい。
【００１２】
特徴量抽出部１０２は、入力部１０１で入力した対象鋳片の切断面の画像データに基づいて、個々の偏析粒の輪郭を検出する。図３は、偏析粒の特徴量を抽出する処理を説明するための図であり、図３（ａ）に一部の偏析粒３０１を拡大して示す。
【００１３】
次に、特徴量抽出部１０２は、個々の偏析粒３０１の厚みを求め、偏析粒の厚みと偏析粒の個数との度数分布を第１の特徴量として抽出する。具体的には、まず偏析粒３０１の向きを判定する。図３（ｂ）に示すように、例えば偏析粒３０１の最長部位になる方向を長手方向３０２として定める。そして、長手方向３０２に垂直な方向の最短部位を偏析粒３０１の厚みｈとする。このとき、図３（ｂ）に示すように、偏析粒３０１を囲む長方形３０３を設定するようにすればよい。長方形３０３は、長片が長手方向３０２に延びるようにし、一対の長辺及び一対の短辺それぞれが偏析粒３０１に接するように設定される。そして、長方形３０３の短辺の長さを、当該長方形３０３で囲まれた偏析粒３０１の厚みｈとする。
【００１４】
また、特徴量抽出部１０２は、個々の偏析粒３０１の面積を求め、偏析粒の面積と偏析粒の個数との度数分布を第２の特徴量として抽出する。具体的には、偏析粒３０１のピクセル数に基づいて、偏析粒３０１の面積を求める。
【００１５】
評価モデル保持部１０３は、機械学習による評価モデルを保持する。評価モデルは、一の切断面における第１の特徴量（偏析粒の厚みの度数分布）及び第２の特徴量（偏析粒の面積の度数分布）を説明変数とし、評点を目的変数とする。評点とは、鋳片の内質を評価する点であり、予め定められた基準に則って、第１の特徴量及び第２の特徴量に応じて与えられる。原則的には、厚みの大きい偏析粒の個数が多いほど、また、面積の大きい偏析粒が多いほど、評点は悪くなる方向になる。図４に、ある鋳片の切断面における第１の特徴量及び第２の特徴量に対して評点が与えられている状態を示す。図４の例では、面積が０〜１の範囲に１６２０個、面積が１〜５の範囲に２７８個、・・・厚みが０〜３の範囲に４０個、厚みが３〜３．５の範囲に６０個、・・・のように偏析粒が分布している。評点を求めるための評価モデルは、第１の特徴量及び第２の特徴量と評点との組み合わせの実績値に基づいて学習を行うことにより構築されている。なお、機械学習による評価モデルには、例えば線形重回帰、サポートベクターマシン、ランダムフォレスト、又はニューラルネットワークを用いればよい。
【００１６】
評価部１０４は、評価モデル保持部１０３が保持する評価モデルを用いて、特徴量抽出部１０２で抽出した、対象鋳片の切断面における第１の特徴量及び第２の特徴量に基づいて、対象鋳片の評点を求める。
【００１７】
出力部１０５は、特徴量抽出部１０２で抽出した、対象鋳片の切断面における第１の特徴量及び第２の特徴量や、評価部１０４で求めた対象鋳片の評点を出力する。例えば出力部１０５は、対象鋳片の切断面における第１の特徴量及び第２の特徴量や、評点を不図示の表示装置に表示する。オペレータは、表示装置に表示される評価モデルによる評点を見て、予め定められた基準に則って評点の適否を確認し、評点を適宜修正することができる。なお、対象鋳片の切断面における第１の特徴量及び第２の特徴量と評点（オペレータによる確認済みのもの）との組み合わせは、後述するデータベース５０４に実績値として蓄積される。
【００１８】
以上述べように、偏析粒の厚みの度数分布、更には偏析粒の面積の度数分布に基づいて、鋳片の中心偏析を適正に評価することができる。
また、機械学習技術の適用により、過去実績とフィッティングした評価モデルを構築することができ、定期的な再学習による精度の担保が可能である。
【００１９】
図５に、実施形態に係る評価モデルの学習装置５００の機能構成を示す。
評価モデルの学習装置５００は、定期的（例えば毎月）に、鋳片の中心偏析評価装置１００の評価モデル保持部１０３が保持する評価モデルの学習を行う。
データベース５０４には、オペレータによる評価済みの実績値、すなわち鋳片の切断面における第１の特徴量及び第２の特徴量と評点との組み合わせの実績値が蓄積される。
【００２０】
入力部５０１は、データベース５０４から、前回の学習以降に蓄積された実績値（鋳片の切断面における第１の特徴量及び第２の特徴量と評点との組み合わせの実績値）を入力する。
学習部５０２は、入力部５０１で入力した実績値に基づいて、評価モデル保持部１０３が保持する評価モデルの学習を行う。
更新部５０３は、評価モデル保持部１０３が保持する評価モデルを、学習部５０２で再学習した評価モデルに更新する。
このように、数学の専門知識を持つ者がいなくても、運用後の実データを用いた評価モデルの校正、調整が容易である。
【００２１】
以上のようにした鋳片の中心偏析評価装置１００や評価モデルの学習装置５００は、例えばＣＰＵ、ＲＯＭ、ＲＡＭ等を備えたコンピュータ装置により構成され、ＣＰＵが所定のプログラムを実行することにより、その機能が実現される。
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
本発明は、本発明の鋳片の中心偏析評価機能や評価モデルの学習機能を実現するソフトウェア（プログラム）を、ネットワーク又は各種記憶媒体を介してシステム或いは装置に供給し、そのシステム或いは装置のコンピュータがプログラムを読み出して実行することによっても実現可能である。
【符号の説明】
【００２２】
１００：鋳片の中心偏析評価装置
１０１：入力部
１０２：特徴量抽出部
１０３：評価モデル保持部
１０４：評価部
１０５：出力部
５００：評価モデルの学習装置
５０１：入力部
５０２：学習部
５０３：更新部
５０４：データベース
【図１】
2020169850.tif 000003
【図２】
2020169850.tif 000004
【図３】
2020169850.tif 000005
【図４】
2020169850.tif 000006
【図５】
2020169850.tif 000007